(57)【特許請求の範囲】
【請求項１】
略平坦な屋根面が複数の屋根ユニットで構成される陸屋根構造であって、
前記屋根ユニットは屋根面を構成するスラブと、このスラブを支持するフレームとを有し、前記スラブは所定の水勾配をもって前記フレームに支持されているとともに、前記スラブの辺縁は隣接する他の屋根ユニットのスラブの辺縁に連続的に防水接続されており、かつ、前記フレームには吊り下げ用の受け具が設置され、前記スラブには吊り下げ作業用の開口が設けられるとともに、前記吊り下げ作業用の開口を塞ぐ蓋材が設けられ、
前記フレームは、鉄骨を平面矩形状に組み合わせた枠組本体と、前記枠組本体の長辺間に接合される複数の根太とを有して構成され、
前記枠組本体および前記根太には、複数の支持部材が接合され、これらの支持部材にはスラブ受けが取り付けられ、前記スラブ受けの上側に前記スラブが支持され、前記スラブ受けの上側に固定される蓋受けを介して前記蓋材が支持され、
前記スラブを支持する根太と、前記蓋受けを介して前記蓋材を支持する根太とが互いに隣接して設けられていることを特徴とする陸屋根構造。
【請求項２】
請求項１記載の陸屋根構造において、
前記屋根面に沿って複数の屋根ユニットが配列され、前記配列された屋根ユニットのうち中間位置の二つの屋根ユニットの境界部分が最も高い位置とされ、前記配列された屋根ユニットのうち前記境界部分からそれぞれ最も離れている両端部が最も低い位置とされていることを特徴とする陸屋根構造。
【請求項３】
請求項２記載の陸屋根構造において、
前記屋根ユニットの配列の最も低い位置には排水溝が設置され、この排水溝の一端には建物外部へ排水を導く排水管が接続されていることを特徴とする陸屋根構造。
【請求項４】
複数接続されて陸屋根を構成する屋根ユニットであって、
屋根面を構成するスラブと、このスラブを支持するフレームとを有し、前記フレームには吊り下げ用の受け具が設置され、前記スラブは所定の水勾配をもってフレームに支持されているとともに、吊り下げ作業用の開口が設けられるとともに、前記吊り下げ作業用の開口を塞ぐ蓋材が設けられ、
前記フレームは、鉄骨を平面矩形状に組み合わせた枠組本体と、前記枠組本体の長辺間に接合される複数の根太とを有して構成され、
前記枠組本体および前記根太には、複数の支持部材が接合され、これらの支持部材にはスラブ受けが取り付けられ、前記スラブ受けの上側に前記スラブが支持され、前記スラブ受けの上側に固定される蓋受けを介して前記蓋材が支持され、
前記スラブを支持する根太と、前記蓋受けを介して前記蓋材を支持する根太とが互いに隣接して設けられていることを特徴とする屋根ユニット。
【請求項５】
請求項４記載の屋根ユニットにおいて、
前記フレームは鉄骨枠組みであり、前記スラブは軽量気泡コンクリート板材であることを特徴とする屋根ユニット。
【発明の詳細な説明】
【０００１】
【発明の属する技術分野】
本発明は水勾配が設けられ略水平な屋根面が形成される陸屋根構造及び屋根ユニットに関する。
【０００２】
【背景技術】
従来より、住宅等の建物では一般的な傾斜屋根のほか平坦な陸屋根が利用されている。また、置屋根等と呼ばれる陸屋根の中央部に小屋組を設置した屋根においても、周辺部が陸屋根として取り扱われている。
複数の建物ユニットを組み合わせて構成されるユニット式建物においても、陸屋根が採用されている。例えば、屋根部分を所定の広さの複数の屋根ユニットに分割し、個々に工場で生産して、現場で連結し、組み立てる屋根構造（従来例１：特開平１０−８６２１号）があり、さらに各屋根ユニットの陸屋根部の周囲に立ち上がり部を形成し、ユニット毎に排水管を設け陸屋根部に溜まった雨水を排水する陸屋根構造（従来例２）がある。
【０００３】
【発明が解決しようとする課題】
しかし、従来例１では、陸屋根を構成する屋根ユニットを建設現場まで搬送し現場で組み合わせる手段が開示されていない。つまり、従来例１では屋根ユニットを合理的に吊り下げるための技術手段が開示されておらず、必ずしも現場作業を軽減できるとは言えない。
一方、各ユニットの周囲に立ち上がりを形成し、各ユニットごとに排水する従来例２では、各ユニット毎に外部へ排水する配管等を設ける必要があり、配管等が多数に及び屋根の構造や施工が煩雑化することとなる。この点からも従来例２では、現場での施工が増し、施工コストも高くなってしまう。
【０００４】
本発明の目的は、水勾配が設けられ略水平な屋根面が形成される陸屋根構造及び屋根ユニットを提供することにある。
【０００５】
【課題を解決するための手段】
そのため、本発明は前記目的を達成するため、次の構成を採用する。
請求項１記載の発明は、添付した図面を参照して説明すると、略平坦な屋根６０面が複数の屋根ユニット６１で構成される陸屋根構造であって、屋根ユニット６１は屋根６０面を構成するスラブ６２と、このスラブ６２を支持するフレーム６３とを有し、スラブ６２は所定の水勾配をもってフレーム６３に支持されているとともに、スラブ６２の辺縁は隣接する他の屋根ユニット６１のスラブ６２の辺縁に連続的に防水接続されており、かつ、フレーム６３には吊り下げ用の受け具６３１が設置され、スラブ６２には吊り下げ作業用の開口６２２が設けられるとともに、前記吊り下げ作業用の開口６２２を塞ぐ蓋材６２１が設けられ、前記フレーム６３は、鉄骨を平面矩形状に組み合わせた枠組本体６３Ａと、前記枠組本体６３Ａの長辺間に接合される複数の根太６３Ｂとを有して構成され、前記枠組本体６３Ａおよび前記根太６３Ｂには、複数の支持部材６３３が接合され、これらの支持部材６３３にはスラブ受け６３２Ａ、６３２Ｂが取り付けられ、前記スラブ受け６３２Ａ、６３２Ｂの上側に前記スラブ６２が支持され、前記スラブ受け６３２Ａ、６３２Ｂの上側に固定される蓋受け６３４Ａ、６３４Ｂを介して前記蓋材６２１が支持され、前記スラブ６２を支持する根太６３Ｂと、前記蓋受け６３４Ａ、６３４Ｂを介して前記蓋材６２１を支持する根太６３Ｂとが互いに隣接して設けられていることを特徴とする。
【０００６】
この構成の請求項１記載の発明では、スラブ６２は所定の水勾配をもって予めフレーム６３に支持されているため、現場ではスラブ６２の高さ調整をする必要がなく、相互の屋根ユニット６１を防水接続するだけで屋根６０全体に所期の水勾配で連続した陸屋根６０になる。さらに、フレーム６３に吊り下げ用の受け具６３１が設置され、スラブ６２には作業用の開口６２２が設けられているため、クレーン等での屋根ユニット６１の設置が可能となる。従って、施工が煩雑でなく現場作業が軽減される。
また、作業後、この開口６２２は蓋材６２１により塞がれるため、屋根６０の外観が良好となる。さらに、開口６２２から雨水等の排水が漏れる虞もない。
【０００７】
請求項２記載の発明は、請求項１記載の陸屋根構造において、屋根６０面に沿って複数の屋根ユニット６１が配列され、配列された屋根ユニット６１のうち中間位置の二つの屋根ユニット６１の境界部分が最も高い位置とされ、配列された屋根ユニット６１のうち境界部分からそれぞれ最も離れている両端部が最も低い位置とされていることを特徴とする。
【０００８】
この構成の発明では、二方向に雨水等が排水されるため確実に排水することができる。
【０００９】
請求項３記載の発明は、請求項２記載の陸屋根構造において、屋根ユニット６１の配列の最も低い位置には排水溝６５が設置され、この排水溝６５の一端には外部への排水管６５１が接続されていることを特徴とする。
【００１０】
この構成の発明では、各屋根ユニット６１毎に排水する必要がないので、排水管６５１等が増え、現場施工が増すことはないため、この点からも現場作業を軽減できる。
【００１１】
請求項４記載の発明は、複数接続されて陸屋根６０を構成する屋根ユニット６１であって、屋根６０面を構成するスラブ６２と、このスラブ６２を支持するフレーム６３とを有し、フレーム６３には吊り下げ用の受け具６３１が設置され、スラブ６２は所定の水勾配をもってフレーム６３に支持されているとともに、吊り下げ作業用の開口６２２が設けられるとともに、前記吊り下げ作業用の開口６２２を塞ぐ蓋材６２１が設けられ、前記フレーム６３は、鉄骨を平面矩形状に組み合わせた枠組本体６３Ａと、前記枠組本体６３Ａの長辺間に接合される複数の根太６３Ｂとを有して構成され、前記枠組本６３Ａ体および前記根太６３Ｂには、複数の支持部材６３３が接合され、これらの支持部材６３３にはスラブ受け６３２Ａ、６３２Ｂが取り付けられ、前記スラブ受け６３２Ａ、６３２Ｂの上側に前記スラブ６２が支持され、前記スラブ受け６３２Ａ、６３２Ｂの上側に固定される蓋受け６３４Ａ、６３４Ｂを介して前記蓋材６２１が支持され、前記スラブ６２を支持する根太６３Ｂと、前記蓋受け６３４Ａ、６３４Ｂを介して前記蓋材６２１を支持する根太６３Ｂとが互いに隣接して設けられていることを特徴とする。
【００１２】
この構成の発明では、スラブ６２は所定の水勾配をもってフレーム６３に支持されているため、スラブ６２の高さ調整をする必要がなく、施工が煩雑でなく作業性が向上する。また、フレーム６３に吊り下げ用の受け具６３１が設けられ、スラブ６２には作業用の開口６２２が設置されているため、クレーン等での屋根ユニット６１の設置が容易となる。
また、作業後、この開口６２２は蓋材６２１により塞がれるため、屋根６０の外観が良好となる。さらに、開口６２２から雨水等の排水が漏れる虞もない。
【００１３】
請求項５記載の発明は、請求項４記載の屋根ユニット６１において、フレーム６３は鉄骨枠組みであり、スラブ６２は軽量気泡コンクリート板材（以下ALC板材という）であることを特徴とする。
【００１４】
この構成の発明では、フレーム６３を鉄骨枠組みとしたため、スラブ６２を確実に支えることができ、屋根６０の強度、剛性を高めることができる。また、スラブ６２をALC板材としたため、通常のコンクリート板等と比較して単位体積当たりの重量が小さく、屋根６０自体の重さが軽くなり、屋根下の建物ユニットにかかる負担が軽くなる。さらに、下階居室部分への遮音効果もある。
【００１７】
【発明の実施の形態】
以下、本発明の一実施の形態を図１から図９に基づいて説明する。
図１には、本実施の形態の建物１が示されている。この建物１は、基礎２の上に施工された二階建ての建物本体３と、この建物本体３の上部に設けられた屋根４とを備える。
建物本体３は図示しないが柱及び梁を組み込んだ略直方体形状の骨組みに、床材、壁材等の造作材を取り付けて構成された建物ユニット３０を複数個組み合わせて構成されるものである。また、建物本体３には南側に面した１階部分にテラス１０が設けられ、２階部分にはベランダ２０が設けられている。
各建物ユニット３０は予め工場で製造され建設現場で、組み合わされる。
【００１８】
屋根４は陸屋根６０と、陸屋根６０の上部に設けられた小屋５０と、陸屋根６０の南側を囲う手摺４０とを備える。
小屋５０は小屋ユニット５１とこの小屋ユニット５１の上部に設けられた屋根部５２を有する。この屋根部５２は図示しない傾斜した下地パネルを有し、下地パネルの上面に太陽電池パネル５４が取り付けられている。
また、小屋ユニット５１には、小屋５０から出入りするためのドア５３が設けられている。
【００１９】
図２に示すように陸屋根６０は屋根ユニット６１を南側に３個並べたものを４列配置し、全部で１２個用いて構成される。陸屋根６０は矢印Pの先端に向かって下がり勾配となる水勾配を有し、この配列の中間位置、つまり南側から二列目の屋根ユニット６１と三列目の屋根ユニット６１の境界部分が最高部、一列目と四列目の端部が最下流部となっている。また、一列目と四列目の中央の屋根ユニット６１は矢印P方向に傾斜している。水勾配によって集められた雨水は、一列目と四列目の屋根ユニット６１の下流側長手方向に設けられた排水溝６５に集められて、排水管６５１から排出される。この排水管６５１は屋根ユニット６１の真下の建物ユニット３０に設けられた図示しない排水管と接続されこの排水管を通って雨水が建物外へ排出される。
【００２０】
図３は図２中の屋根ユニット６１のうち矢印Aで示された屋根ユニット６１の平面図である。屋根ユニット６１はALC製のスラブ６２及び小屋５０の床となるパーチ６４を有し、パーチ６４は鉄骨のフレーム６３により支持されている。このフレーム６３は断面コ字形に形成された平面矩形形状の枠組本体６３Aに根太６３Bを組み込んだものである。フレーム６３にはブレス６６が設けられている。スラブ６２はフレーム６３に設けられたスラブ受け６３２A又は６３２Bにより所定の水勾配を有するように支持されている。また、スラブ６２には吊り下げ作業用の開口６２２が設けられており、吊り下げ作業後は、この開口６２２はセメント板の蓋材６２１で覆われる。さらに、フレーム６３の中央部分、つまりスラブ６２とパーチ６４の間部分には小屋ユニット５１の妻パネル５５を設置するためのスペースが設けられている。
【００２１】
隣り合う屋根ユニット６１同士は防水接続される。防水接続の方法として、スラブ６２表面に防水シートを設置し、一方のスラブ６２の防水シートを隣り合う他方のスラブ６２の防水シート上に重ね合わせ、重なり部分に熱シール又は超音波シールを施す方法や、スラブ６２上面に防水シートを設置し、隣り合うスラブ６２の継ぎ目をコーキングする方法がある。
【００２２】
図４は図３のIV-IV方向の断面図であり、図６(A)は図３のVIA-VIA方向の断面図、図６(B)は図４のVIB-VIB方向の断面図である。これらの図に示すように、スラブ６２はL字形のスラブ受け６３２Aによって支持されており、このスラブ受け６３２Aは断面コ字形の根太６３Bの溝型部分に接合された断面コの字形の支持部材６３３に支持されている。スラブ受け６３２Aの支持部材６３３への取り付け位置を調節することで、スラブ６２は、所定の水勾配をもって支持されることになる。
図５は図３のV-V方向の断面図であり、図６(C)は図３のVIC-VIC方向の断面図である。スラブ受け６３２Bはスラブ受け６３２Aと同様の構造であり、断面コ字形の枠組本体６３Aの溝型部分に接合された断面コの字形の支持部材６３３の所定の位置に取り付けられている。
【００２３】
図７に吊り下げ作業用の開口６２２の平面図を示す。この開口６２２により、フレーム６３に設けられた吊り下げ用のアイボルト６３１をクレーン等で吊り下げることができる。屋根ユニット６１の配置後は開口６２２をセメント板の蓋材６２１で覆う。そのため開口６２２の周囲には予め蓋受け６３４A及び６３４Bが設けられている。
【００２４】
図８は図７のVIII-VIII方向の断面図である。断面コ字形の根太６３B又は枠組本体６３Aの溝形部分にコの字形の支持部材６３３が接合され、この支持部材６３３にL字形のスラブ受け６３２A又は６３２Bが取り付けられ、さらにこのスラブ受け６３２A又は６３２B上にコの字形の蓋受け６３４Aが設けられている。これにより、蓋材６２１と図面右隣のスラブ６２の高さが略同じになり、所定の水勾配が保たれる。
【００２５】
図９は図７のIX-IX方向の断面図である。この図によれば、蓋材６２１はIX方向の両端部をL字形の蓋受け６３４Bによっても支えられている。
【００２６】
なお、陸屋根６０を構成する全ての屋根ユニット６１の構造は矢印Aで示された屋根ユニット６１と基本的に同じである。これらの屋根ユニット６１のうち外側に面して配置された屋根ユニット６１の縁部には立上部６７が設けられている。
【００２７】
建築の際には、予め工場で蓋材６２１以外のものを組み込み、水勾配が与えられたスラブ６２を有する屋根ユニット６１を製造する。この屋根ユニット６１をトラックで建設現場まで搬送する。建設現場で屋根ユニット６１をクレーン等で吊るし、所定の位置に設置する。クレーンを使用するに当たって、クレーンのアームから吊り下げられたフックをアイボルトに係止する。開口６２２が設けられているため、係止作業を容易に行うことができる。その後、開口６２２を蓋材６２１で塞ぐ。個々の屋根ユニット６１のスラブ６２は既に所定の水勾配が与えられているため、隣り合うスラブ６２同士を防水シート等で防水接続すれば陸屋根６０が完成する。
【００２８】
従って、本実施の形態によれば、スラブ６２は予め所定の水勾配をもってフレーム６３に支持されているため、建設現場でスラブ６２の高さを調節する必要はなく、防水シート等で防水接続するだけであるため組立作業が煩雑でない。また、フレーム６３には吊り下げ用のアイボルト６３１及び、スラブ６２に吊り下げ用の開口６２２が設けられているため、クレーン等で屋根ユニット６１の配置ができ、作業効率が向上し、施工期間が短縮できる。さらに、作業後には開口６２２はコンクリート板の蓋材６２１により塞がれるため、陸屋根６０の外観を損ねることもない。また、この開口６２２から雨水等が漏れる虞もない。
【００２９】
陸屋根６０は配列の中間位置、南側から二列目の屋根ユニット６１と三列目の屋根ユニット６１の境界部分が最高部、一列目と四列目の端部が最下流部となっており、二方向に雨水等が排水される為、確実に排水することができ、各屋根ユニット６１毎に排水管を取り付ける必要がないので現場作業の軽減を図ることができ、建物１の外観も良好となる。また、一列目と四列目の中央の屋根ユニット６１は矢印方向に傾斜しているため、排水溝６５を中央の屋根ユニット６１に取り付ける必要がなく、さらに現場作業が軽減される。
【００３０】
また、本実施の形態では、フレーム６３を鉄骨枠組みとしたため、スラブ６２を確実に支えることができ、屋根ユニット６１の強度、剛性を高めることができる。さらに、フレーム６３にはブレス６６が設けられているため、水平方向に力がかかった場合、例えば横揺れの地震などによって、屋根ユニット６１が崩れる虞もない。また、スラブ６２をALC板材としたため、通常のコンクリート板等と比較して単位体積当たりの重量が小さく、屋根ユニット６１自体の重さが軽くなり、建設時、クレーン等での吊り下げ作業が容易になる。さらに、下の建物ユニット３０にかかる負担が軽くなり、下階居室部分への遮音効果もある。
【００３１】
枠組本体６３A又は根太６３Bの溝形部分にはコの字形の支持部材６３３が接合されているため、屋根ユニット６１の基盤であるフレーム６３の強度を高めることができる。さらに、この支持部材６３３にL字形のスラブ受け６３２A又は６３２Bが取り付けられ、スラブ受け６３２A又は６３２Bの支持部材６３３への取り付け位置を調節することで、スラブ６２は、所定の水勾配をもって支持されることになる。従って、水勾配に応じて様々な寸法のスラブ受けを作る必要がないため、取り扱いの容易化及び製造コストの低下を図ることができる。
【００３２】
また、開口６２２の周囲には蓋受け６３４A及び６３４Bが設けられているため、蓋材６２１を確実に支持し、固定することができる。蓋受け６３４A及び６３４Bにより蓋材６２１の上面の位置を隣接するスラブ６２の上面の位置に合わせることができ、陸屋根６０の外観が良好となる。
【００３３】
なお、本発明は前述の実施の形態に限定されるものではなく、本発明の目的を達成できる範囲での変形、改良等は本発明に含まれるものである。
例えば、前記実施の形態では屋根４は陸屋根６０と小屋５０とが設けられていたが、通常の陸屋根のみでも良い。
また、陸屋根６０は、二方向に雨水等が排水される構造としたが、一方向に排水される構造でも良い。さらに排水溝６５はスラブ６２を削って形成しても、後から溝を取り付けて構成しても良い。
さらに吊り下げ用の受け具は、アイボルト６３１に限らずクレーンのフックを係止させることができるものであれば良い。アイボルト６３１はスラブ６２の下面に対し水平になるようにフレーム６３に取り付けたが、垂直方向に取り付けても良い。
【００３４】
【発明の効果】
この様な請求項１記載の発明によれば、スラブは所定の水勾配をもって予めフレームに支持されているため、現場ではスラブの高さ調整をする必要がなく、相互の屋根ユニットを防水接続するだけで屋根全体に所期の水勾配で連続した陸屋根になる。さらに、フレームに吊り下げ用の受け具が設置され、スラブには作業用の開口が設けられているため、クレーン等での屋根ユニットの設置が可能となる。従って、施工が煩雑でなく現場作業が軽減される。
また、作業後、この開口は蓋材により塞がれるため、屋根の外観が良好となる。さらに、開口から雨水等の排水が漏れる虞もない。
【図面の簡単な説明】
【図１】本発明の一実施形態にかかる陸屋根付き建物を示す斜視図である。
【図２】前記陸屋根付き建物の陸屋根を示す平面図である。
【図３】本発明の一実施形態にかかる屋根ユニットを示す平面図である。
【図４】図３のIV-IV線における断面図である。
【図５】図３のV-V線における断面図である。
【図６】  (A)は図３のVIA-VIA線における断面図、(B)は図３のVIB-VIB線における断面図(C)は図３のVIC-VIC線における断面図である。
【図７】前記屋根ユニットの要部を示す平面図である。
【図８】図７のVIII-VIII線における断面図である。
【図９】図７のIX-IX線における断面図である。
【符号の説明】
６０    陸屋根
６１    屋根ユニット
６２    スラブ
６２１  蓋材
６２２  開口
６３    フレーム
６３１  アイボルト
６５    排水溝
６５１  排水管
【図１】
0004355458.tif 000002
【図２】
0004355458.tif 000003
【図３】
0004355458.tif 000004
【図４】
0004355458.tif 000005
【図５】
0004355458.tif 000006
【図６】
0004355458.tif 000007
【図７】
0004355458.tif 000008
【図８】
0004355458.tif 000009
【図９】
0004355458.tif 000010